(57)【要約】【課題】申請された道路使用に関する実際の道路使用状況を的確に把握できるようにする。【解決手段】道路交通管理者に申請された道路使用の申請ごとにその使用位置を示す位置情報を含む申請情報を道路使用情報管理サーバ１で管理するとともに、現場報告者の現場報告端末４から送信された当該道路使用の道路使用状況を示す道路使用状態情報を、当該道路使用の申請情報と関連付けて道路使用情報管理サーバ１で管理する。【選択図】　　　　図１
2004054386.tif 000002
【特許請求の範囲】
【請求項１】
道路交通管理者に申請された道路使用の申請ごとにその使用位置を示す位置情報を含む申請情報を道路使用情報管理サーバで管理するとともに、現場報告者の現場報告端末から送信された当該道路使用の道路使用状況を示す道路使用状態情報を、当該道路使用の申請情報と関連付けて道路使用情報管理サーバで管理することを特徴とする道路使用情報管理方法。
【請求項２】
道路交通管理者に申請された道路使用に関する申請情報を管理する道路使用情報管理サーバで用いられる道路使用情報管理方法において、
各道路使用の申請ごとにその使用位置を示す位置情報を含む申請情報をデータベースで管理し、
道路使用の現場にいる現場報告者の操作に応じて前記道路使用情報管理サーバと通信網を介してデータ通信を行う現場報告端末から、当該道路使用に関する現場進捗報告を受け付け、
その現場進捗報告で指定された道路使用の申請情報に対して、その現場進捗報告で報告された道路使用状況を示す道路使用状態情報を関連付けて前記データベースへ登録することを特徴とする道路使用情報管理方法。
【請求項３】
請求項２記載の道路使用状況管理方法において、
少なくとも前記申請情報の位置情報と、その申請情報に関連付けて登録されている道路使用状態情報とを前記データベースから読み出し、
通信網を介して所定の配信先とデータ通信を行うことにより、前記位置情報および前記道路使用状態情報を道路状況情報として配信することを特徴とする道路使用情報管理方法。
【請求項４】
請求項２記載の道路使用状況管理方法において、
一般利用者の操作に応じて前記道路使用情報管理サーバと通信網を介してデータ通信を行う情報要求端末から道路状況要求を受け付け、
その道路状況要求で指定された位置情報に対応する申請情報を前記データベースから検索するとともに、その申請情報に関連付けて前記データベースに登録されている道路使用状態情報を読み出し、
前記通信網を介して前記情報要求端末へその道路使用状態情報を提供することを特徴とする道路使用情報管理方法。
【請求項５】
道路交通管理者に申請された道路使用に関する申請情報を管理する道路使用情報管理サーバと、道路使用の現場にいる現場報告者の操作に応じて前記道路使用情報管理サーバと通信網を介してデータ通信を行う現場報告端末とを備え、
前記道路使用情報管理サーバは、
各道路使用の申請ごとにその使用位置を示す位置情報を含む申請情報を管理するデータベースと、
前記通信網を介してデータ通信を行うことにより前記現場報告端末から道路使用に関する現場進捗報告を受け付け、その現場進捗報告で指定された道路使用の申請情報に対して、その現場進捗報告で報告された道路使用状況を示す道路使用状態情報を関連付けて前記データベースへ登録する現場報告受付部とを有することを特徴とする道路使用情報管理システム。
【請求項６】
請求項５記載の道路使用情報管理システムにおいて、
前記道路使用情報管理サーバは、
少なくとも前記申請情報の位置情報とその申請情報に関連付けて登録されている道路使用状態情報とを前記データベースから読み出し、通信網を介して所定の配信先とデータ通信を行うことにより、前記位置情報および前記道路使用状態情報を道路状況情報として配信する情報提供部をさらに有することを特徴とする道路使用情報管理システム。
【請求項７】
請求項５記載の道路使用情報管理システムにおいて、
一般利用者の操作に応じて前記道路使用情報管理サーバと通信網を介してデータ通信を行う情報要求端末をさらに備え、
前記道路使用情報管理サーバは、
前記情報要求端末から道路状況要求を受け付けて、その道路状況要求で指定された位置情報に対応する申請情報を前記データベースから検索するとともに、その申請情報に関連付けて前記データベースに登録されている道路使用状態情報を読み出し、前記通信網を介して前記情報要求端末へその道路使用状態情報を提供する情報提供部をさらに有することを特徴とする道路使用情報管理システム。
【請求項８】
道路交通管理者に申請された道路使用に関する申請情報を管理する道路使用情報管理サーバにおいて、
各道路使用の申請ごとにその使用位置を示す位置情報を含む申請情報を管理するデータベースと、
道路使用の現場にいる現場報告者の操作に応じて前記道路使用情報管理サーバと通信網を介してデータ通信を行う現場報告端末から道路使用に関する現場進捗報告を受け付け、その現場進捗報告で指定された道路使用の申請情報に対して、その現場進捗報告で報告された道路使用状況を示す道路使用状態情報を関連付けて前記データベースへ登録する現場報告受付部とを備えることを特徴とする道路使用情報管理サーバ。
【請求項９】
請求項８記載の道路使用情報管理サーバにおいて、
少なくとも前記申請情報の位置情報と、その申請情報に関連付けて登録されている道路使用状態情報とを前記データベースから読み出し、通信網を介して所定の配信先とデータ通信を行うことにより、前記位置情報および前記道路使用状態情報を道路状況情報として配信する情報提供部をさらに備えることを特徴とする道路使用情報管理サーバ。
【請求項１０】
請求項８記載の道路使用情報管理サーバにおいて、
一般利用者の操作に応じて前記道路使用情報管理サーバと通信網を介してデータ通信を行う情報要求端末から道路状況要求を受け付けて、その道路状況要求で指定された位置情報に対応する申請情報を前記データベースから検索するとともに、その申請情報に関連付けて前記データベースに登録されている道路使用状態情報を読み出し、前記通信網を介して前記情報要求端末へその道路使用状態情報を提供する情報提供部をさらに備えることを特徴とする道路使用情報管理サーバ。
【発明の詳細な説明】
【０００１】
【発明の属する技術分野】
本発明は、道路使用情報管理方法、システム、および道路使用情報管理サーバに関し、特に道路使用に関する各種情報を管理する道路使用情報管理方法、システム、および道路使用情報管理サーバに関するものである。
【０００２】
【従来の技術】
一般に、工事や催し物を行うために公的な道路を一時的に使用する場合、その道路を使用する使用者が、その道路の交通管理者である所轄の警察署へ、予め道路使用を申請して許可を得る必要がある。
管理者は、その申請に応じて道路の渋滞が最低限となるよう配慮して審査し許可する。この際、管理者は、複数のデータベースからなる道路使用情報管理システムで、これら道路使用の内容を示す申請情報をそれぞれ管理し、必要に応じてこれら申請情報を検索して所望の道路使用の内容を確認するものとなっていた。
【０００３】
【発明が解決しようとする課題】
しかしながら、このような従来の道路使用情報管理システムでは、道路使用の申請内容にある程度の幅を持たせているため、申請内容と実際の道路使用状況とに差異が生じ、道路使用状況を的確に把握できないという問題点があった。例えば、道路使用を申請する際、その道路使用計画は天候や周囲の状況に合わせて進行するため、申請内容では使用期間や使用範囲にある程度の幅を持たせて申請する。したがって、実際の道路使用による渋滞がいつから発生するのか、また発生している渋滞の原因が何なのかなど、道路使用に関する実際の道路使用状況を的確に把握できない。
本発明はこのような課題を解決するためのものであり、申請された道路使用に関する実際の道路使用状況を的確に把握できる道路使用情報管理方法、システム、および道路使用情報管理サーバを提供することを目的としている。
【０００４】
【課題を解決するための手段】
このような目的を達成するために、本発明にかかる道路使用情報管理方法は、道路交通管理者に申請された道路使用の申請ごとにその使用位置を示す位置情報を含む申請情報を道路使用情報管理サーバで管理するとともに、現場報告者の現場報告端末から送信された当該道路使用の道路使用状況を示す道路使用状態情報を、当該道路使用の申請情報と関連付けて道路使用情報管理サーバで管理するようにしたものである。
【０００５】
また、本発明にかかる他の道路使用情報管理方法は、道路交通管理者に申請された道路使用に関する申請情報を管理する道路使用情報管理サーバで用いられる道路使用情報管理方法において、各道路使用の申請ごとにその使用位置を示す位置情報を含む申請情報をデータベースで管理し、道路使用の現場にいる現場報告者の操作に応じて道路使用情報管理サーバと通信網を介してデータ通信を行う現場報告端末から、当該道路使用に関する現場進捗報告を受け付け、その現場進捗報告で指定された道路使用の申請情報に対して、その現場進捗報告で報告された道路使用状況を示す道路使用状態情報を関連付けてデータベースへ登録するようにしたものである。
【０００６】
さらに、少なくとも申請情報の位置情報と、その申請情報に関連付けて登録されている道路使用状態情報とをデータベースから読み出し、通信網を介して所定の配信先とデータ通信を行うことにより、位置情報および道路使用状態情報を道路状況情報として配信するようにしてもよい。
あるいはまた、一般利用者の操作に応じて道路使用情報管理サーバと通信網を介してデータ通信を行う情報要求端末から道路状況要求を受け付け、その道路状況要求で指定された位置情報に対応する申請情報をデータベースから検索するとともに、その申請情報に関連付けてデータベースに登録されている道路使用状態情報を読み出し、通信網を介して情報要求端末へその道路使用状態情報を提供するようにしてもよい。
【０００７】
また、本発明にかかる道路使用情報管理システムは、道路交通管理者に申請された道路使用に関する申請情報を管理する道路使用情報管理サーバと、道路使用の現場にいる現場報告者の操作に応じて道路使用情報管理サーバと通信網を介してデータ通信を行う現場報告端末とを備え、道路使用情報管理サーバに、各道路使用の申請ごとにその使用位置を示す位置情報を含む申請情報を管理するデータベースと、通信網を介してデータ通信を行うことにより現場報告端末から道路使用に関する現場進捗報告を受け付け、その現場進捗報告で指定された道路使用の申請情報に対して、その現場進捗報告で報告された道路使用状況を示す道路使用状態情報を関連付けてデータベースへ登録する現場報告受付部とを設けたものである。
【０００８】
さらに、道路使用情報管理サーバに、少なくとも申請情報の位置情報とその申請情報に関連付けて登録されている道路使用状態情報とをデータベースから読み出し、通信網を介して所定の配信先とデータ通信を行うことにより、位置情報および道路使用状態情報を道路状況情報として配信する情報提供部を設けてもよい。
あるいはまた、一般利用者の操作に応じて道路使用情報管理サーバと通信網を介してデータ通信を行う情報要求端末をさらに備え、道路使用情報管理サーバに、情報要求端末から道路状況要求を受け付けて、その道路状況要求で指定された位置情報に対応する申請情報をデータベースから検索するとともに、その申請情報に関連付けてデータベースに登録されている道路使用状態情報を読み出し、通信網を介して情報要求端末へその道路使用状態情報を提供する情報提供部を設けてもよい。
【０００９】
また、本発明にかかる道路使用情報管理サーバは、道路交通管理者に申請された道路使用に関する申請情報を管理する道路使用情報管理サーバにおいて、各道路使用の申請ごとにその使用位置を示す位置情報を含む申請情報を管理するデータベースと、道路使用の現場にいる現場報告者の操作に応じて道路使用情報管理サーバと通信網を介してデータ通信を行う現場報告端末から道路使用に関する現場進捗報告を受け付け、その現場進捗報告で指定された道路使用の申請情報に対して、その現場進捗報告で報告された道路使用状況を示す道路使用状態情報を関連付けてデータベースへ登録する現場報告受付部とを備えるものである。
【００１０】
さらに、少なくとも申請情報の位置情報と、その申請情報に関連付けて登録されている道路使用状態情報とをデータベースから読み出し、通信網を介して所定の配信先とデータ通信を行うことにより、位置情報および道路使用状態情報を道路状況情報として配信する情報提供部を設けてもよい。
あるいはまた、一般利用者の操作に応じて道路使用情報管理サーバと通信網を介してデータ通信を行う情報要求端末から道路状況要求を受け付けて、その道路状況要求で指定された位置情報に対応する申請情報をデータベースから検索するとともに、その申請情報に関連付けてデータベースに登録されている道路使用状態情報を読み出し、通信網を介して情報要求端末へその道路使用状態情報を提供する情報提供部を設けてもよい。
【００１１】
【発明の実施の形態】
次に、本発明の実施の形態について図面を参照して説明する。
図１は本発明の一実施の形態にかかる道路使用情報管理システムのブロック図である。
この道路使用情報管理システムには、道路使用情報管理サーバ１、管理端末２、申請端末３、現場報告端末４および情報要求端末５が設けられている。
【００１２】
道路使用情報管理サーバ１は、全体としてコンピュータからなるサーバ装置で構成されており、道路交通管理者例えば所轄の警察署により管理される。この道路使用情報管理サーバ１では、道路の使用位置を示す位置情報を含む道路使用の申請を受け付けてその内容を管理し、必要に応じて実際の道路使用状況を含む道路使用情報を提供する。
管理端末２は、道路使用情報管理サーバ１に接続されたＰＣ（パーソナルコンピュータ）端末で構成されており、道路交通管理者に属する担当者が道路使用情報管理サーバ１へアクセスして、書類による道路使用の申請や問い合わせに対応する各種処理を行う。
【００１３】
申請端末３は、通信網９Ａを介してデータ通信を行うことにより道路使用情報管理サーバ１と接続されるＰＣ端末で構成され、申請者による道路使用申請に用いられる。
現場報告端末４は、通信網９Ａを介してデータ通信を行うことにより道路使用情報管理サーバ１と接続される携帯端末で構成され、現場報告者による道路使用状況に関する現場報告に用いられる。
情報要求端末５は、通信網９Ａを介してデータ通信を行うことにより道路使用情報管理サーバ１と接続される携帯端末、ＰＣ端末あるいはカーナビゲーション端末で構成され、一般利用者による道路使用に対する問い合わせに用いられる。
【００１４】
道路使用情報管理サーバ１は、通信網９Ｂを介してデータ通信を行うことにより交通管制センター６および道路使用許可管理サーバ７と接続されている。
交通管制センター６は、交通情報を一元管理して、各所に設置された交通表示板や各種交通情報提供装置などへ交通情報を配信する既存の管理センターである。ここでは、道路使用情報管理サーバ１から道路使用に関する道路状況情報を受信し、交通情報として配信する。
道路使用許可管理サーバ７は、全体としてコンピュータからなるサーバ装置で構成されており、道路使用情報管理サーバ１で受け付けた道路使用申請に対応して道路使用の許可／不可を管理する。
【００１５】
道路使用情報管理サーバ１には、申請受付部１１、現場報告受付部１２、情報提供部１３、端末処理部１４およびデータベース１５が設けられている。
申請受付部１１は、申請端末３からの道路使用申請を受け付けるための処理部であり、道路使用情報管理サーバ１へアクセス可能な登録者として申請者を登録者ＤＢ１５Ａへ登録しＩＤやパスワードの管理を行う申請者登録部１１Ａ、登録者ＤＢ１５Ａを参照して申請者が正式な登録者であるか否かをＩＤやパスワードで認証する申請者認証部１１Ｂ、および申請端末３からの申請書を受け付けて申請書ＤＢ１５Ｃへ登録する申請処理部１１Ｃが設けられている。
【００１６】
現場報告受付部１２は、現場報告端末４からの道路使用状況に関する現場報告を受け付けるための処理部であり、登録者ＤＢ１５Ａを参照して報告者が正式な登録者であるか否かをＩＤやパスワードで認証する報告者認証部１２Ａ、および現場報告端末４からの現場報告を受け付けて使用状況ＤＢ１５Ｅへ登録する現場報告処理部１２Ｂが設けられている。
情報提供部１３は、道路の使用状況を配信・提供する処理部であり、交通管制センター６に対して定期的にあるいは必要に応じて道路使用状況を配信する道路使用状況配信部１３Ａ、および情報要求端末５からの要求に応じて道路使用状況を提供する道路使用状況提供部１３Ｂが設けられている。
【００１７】
端末処理部１４は、道路使用情報管理サーバ１と接続された管理端末２からのアクセスに対応するための処理部であり、登録者ＤＢ１５Ａを参照して管理端末２を使用する担当者が正式な登録者であるか否かをＩＤやパスワードで認証する担当者認証部１４Ａ、書類申請された道路使用申請を受け付けて申請書ＤＢ１５Ｃへ登録するローカル申請処理部１４Ｂ、申請書ＤＢ１５Ｃへ新規登録された申請書を審査する申請書審査部１４Ｃ、道路使用に対する一般利用者からの電話による問い合わせに担当者が対応するための処理を行う一般利用者対応処理部１４Ｄ、および担当者がデータベース１５の各種情報を設定するための処理を行う情報設定部１４Ｅが設けられている。
【００１８】
次に、図３〜図７を参照して、データベース１５の構成について説明する。図３は登録者ＤＢ１５Ａの構成例である。図４は警察署ＤＢ１５Ｂの構成例である。図５は申請書ＤＢ１５Ｃの構成例である。図６は道路使用ＤＢ１５Ｄの構成例である。図７は使用状況ＤＢ１５Ｅの構成例である。
データベース１５には、登録者に関する各種データを管理する登録者ＤＢ１５Ａ、警察署に関する各種データを管理する警察署ＤＢ１５Ｂ、申請書に関する各種データを管理する申請書ＤＢ１５Ｃ、道路使用場所に関する各種データを管理する道路使用ＤＢ１５Ｄ、道路使用状況に関する各種データを管理するＤＢ１５Ｅ、申請時や閲覧時に道路使用場所を特定するのに用いる画像データを含む地図データを管理する地図ＤＢ１５Ｆが設けられている。
【００１９】
登録者ＤＢ１５Ａは、図３に示すように、（ａ）アカウントＤＢ、（ｂ）ユーザーＤＢ、（ｃ）基礎ＤＢの３つのデータベースから構成されており、それぞれ同一のユーザーＩＤで連結されてリレーショナルデータベースを実現している。
アカウントＤＢは、ユーザーＩＤ，パスワード，アカウント登録日などの項目から構成されている。ユーザーＤＢは、ユーザーＩＤ，会社名，代表者名，ユーザー登録申請者名，ユーザー登録申請者部署名，郵便番号，住所，ユーザー登録申請者連絡先（電話番号），ユーザー登録申請者メールアドレス，ユーザー登録拒否理由，ユーザー登録情報申請・更新日，ユーザー登録状態などの項目から構成されている。基礎データベースは、ユーザーＩＤ，パスワード，権限，所轄ＩＤリストなどの項目から構成されている。
【００２０】
警察署ＤＢ１５Ｂは、図４に示すように、許可証最終発行番号，警察署名，申請書最終発行番号，警察署ＩＤ，警察署連絡メールアドレス，所轄管轄範囲（市区レベル），所轄管轄範囲（町名レベル）などの項目から構成されている。
申請書ＤＢ１５Ｃは、図５に示すように、許可証番号，道路使用場所（位置情報），道路種別，作業区分（その他），規制区分（その他），道路使用開始日，道路使用終了日，道路使用開始時刻，道路使用終了時刻，道路使用実施曜日フラグ，現場責任者連絡先（電話番号），申請許可条件・削除理由・指導・掲示など，規制内容，申請種別番号，道路名称，申請日，ユーザーＩＤ，道路占有許可の有無，作業区分，申請書番号，現場責任者メールアドレス，添付書類，申請状態，現場責任者，作業方法，使用目的，管理センターへの通知有無などの項目から構成されている。
【００２１】
道路使用ＤＢ１５Ｄは、図６に示すように、アイコン種類，地図尺度，申請書番号，アイコンＸ座標，アイコンＹ座標，アイコン不可情報，ロールオーバーカーソルＩＤ，誘導路Ｘ座標（始点），誘導路Ｘ座標（終点），誘導路Ｙ座標（始点），誘導路Ｙ座標（終点），…，誘導員Ｘ座標（始点），誘導員Ｘ座標（終点），誘導員Ｙ座標（始点），誘導員Ｙ座標（終点），…，道路使用範囲Ｘ座標（始点），道路使用範囲Ｘ座標（終点），道路使用範囲Ｙ座標（始点），道路使用範囲Ｙ座標（終点），…などの項目から構成されている。
使用状況ＤＢ１５Ｅは、図７に示すように、道路使用状態番号，申請許可日，許可証番号などの項目から構成されている。道路使用状態番号については、０：初期値，１：作業開始前，２：作業中で道路使用中，３：作業中で道路未使用，４：作業終了が予め割り当てられている。
【００２２】
次に、図８および図９を参照して、本発明の動作について説明する。図８は道路使用申請時における道路使用情報管理サーバの動作を示すシーケンス図である。図９は道路使用時における道路使用情報管理サーバの動作を示すシーケンス図である。
申請者が道路使用申請を行う場合、まず申請端末３から通信網９Ａを介して道路使用情報管理サーバ（以下、サーバという）１へアクセスし、予め申請者登録時に設定したユーザーＩＤやパスワードなどの認証情報を送信する（ステップ１００）。サーバ１の申請受付部１１では、申請端末３からの認証情報に基づき申請者登録部１１Ａで申請者の認証を行う（ステップ１０１）。
【００２３】
ここで、申請者の認証が得られた場合、サーバ１の申請処理部１１Ｃでは、その後申請端末３から送信された申請書作成要求に応じて（ステップ１０２）、申請書作成のために必要な、申請書の書式データや道路使用位置に対応する地図ＤＢ１５Ｆ内の地図データなどを含む申請書作成情報を送信する（ステップ１０３）。
申請端末３では、この申請書作成情報に基づき申請書を作成する（ステップ１０４）。このとき申請者は、申請書書式に必要な事項を入力するとともに、地図データを用いて道路使用に関する位置情報を入力する。そして、申請書の作成が完了した時点で、その申請書を送信する（ステップ１０５）。
申請処理部１１Ｃでは、その申請書を受信して、申請端末３へその申請書に付与した固有の申請書番号を含む申請書受付確認を送信するとともに（ステップ１０６）、その申請書を申請書ＤＢ１５Ｃへ格納する（ステップ１０７）。
【００２４】
その後、サーバ１を管理する担当者は、管理端末２を用いて申請端末３から受け付けた申請書の審査を行う（ステップ１１０）。ここでは、端末処理部１４の申請書審査部１４Ｃで管理端末２の操作に応じて、所望の申請書を申請書ＤＢ１５Ｃから選択して、管理端末２の画面へ表示する。そして、管理端末２から入力された審査結果すなわち道路使用許可／再申請を申請書ＤＢ１５Ｃへ登録するとともに、その審査結果を申請端末３へ送信する（ステップ１１１）。
申請端末３は、これに応じて申請書審査結果確認をサーバ１へ送信する（ステップ１１２）。
【００２５】
なお、審査の結果、道路使用が許可された場合、サーバ１の申請書審査部１４Ｃから申請端末３へ、その道路使用に対する許可証が電子メールで発行される（ステップ１１３）。この許可証には、固有の許可証番号が付与されている。
申請端末３では、これに応じて受け取り確認を電子メールでサーバ１へ送信する（ステップ１１４）。
このようにして、通信網９Ａを介して申請端末３とサーバ１との間で、道路使用申請手続きがオンラインで行われる。
【００２６】
その後、実際に道路が使用される際、現場報告者は、携帯する現場報告端末４から通信網９Ａを介してサーバ１へアクセスし、現場進捗報告、ここでは作業開始の報告を行う（ステップ１５０）。
サーバ１では、現場報告受付部１２の報告者認証部１２Ａおよび現場報告処理部１２Ｂを用いて、この現場進捗報告を受け付けて、受け付け済みの道路使用申請情報と関連付けてその現場進捗報告を使用状況ＤＢ１５Ｅへ登録する（ステップ１５１）。
【００２７】
この際、現場進捗報告がどの道路使用申請書に対応するか、道路使用申請手続きの際に通知された申請書番号や許可証番号を現場報告者が選択する。
現場報告処理部１２Ｂでは、例えば、その申請書番号に対応する申請情報を申請書ＤＢ１５Ｃで検索し、その申請情報に登録されている許可証番号を用いて使用状況ＤＢ１５Ｅを検索することにより、当該道路使用申請に対応する使用状況情報を抽出し、道路使用状態番号により現場進捗報告の内容を登録する。
【００２８】
このようにして現場進捗報告の内容を登録した後、情報提供部１３の道路使用状況配信部１３Ａから、通信網９Ｂを介して交通管制センター６へ、少なくとも位置情報と道路使用状態情報ここでは作業開始の旨を、道路状況情報として送信する（ステップ１５２）。このとき、道路状況情報については、現場進捗報告ごとや定期的に配信してもよいし、道路使用状況が変化した場合などの必要に応じて配信するようにしてもよい。
これにより、交通管制センター６から各情報表示板や関係機関へ、その道路状況情報で通知された道路使用に関する情報、ここでは道路使用場所とともに作業開始の旨の情報が配信される（ステップ１５３）。
【００２９】
なお、現場報告者は任意のタイミングで道路使用状況をサーバ１へ報告できる。例えば、作業中ではあるが道路は使用していないことを報告したい場合には、前述と同様にして現場報告端末４を操作してサーバ１へその旨の現場進捗報告を行う（ステップ１６０）。
これにより、サーバ１は、現場報告受付部１２の報告者認証部１２Ａおよび現場報告処理部１２Ｂを用いて、この現場進捗報告を受け付けて、使用状況ＤＢ１５Ｅへ登録する（ステップ１６１）。
【００３０】
また、サーバ１から現場報告者に対して現場進捗報告を要求することもできる。この場合、サーバ１は、現場報告受付部１２の現場報告処理部１２Ｂを用いて、現場報告端末４へ現場進捗報告要求を送信する（ステップ１７０）。これにより、現場報告者は、現場報告端末４を操作して、例えば作業中であり、道路を使用している旨の現場進捗報告をサーバ１へ送信する（ステップ１７１）。
サーバ１は、現場報告受付部１２の報告者認証部１２Ａおよび現場報告処理部１２Ｂを用いて、この現場進捗報告を受け付けて、使用状況ＤＢ１５Ｅへ登録する（ステップ１７２）。
【００３１】
ここでは、前回の現場進捗報告の内容から変化があった場合、特に道路使用に関する内容が変化した場合、サーバ１から道路状況情報を配信している。その際、サーバ１は、情報提供部１３の道路使用状況配信部１３Ａから、通信網９Ｂを介して交通管制センター６へ、少なくとも位置情報とその道路使用状況すなわち作業中であり道路使用が開始された旨を、道路状況情報として送信する（ステップ１７３）。これにより、交通管制センター６から各所へ、その道路状況情報で通知された作業場所や作業期間とともに道路使用開始の旨の情報が配信される（ステップ１７４）。
【００３２】
一方、一般利用者が道路状況情報を得たい場合、情報要求端末５から通信網９Ａを介してサーバ１へアクセスし、道路状況閲覧を要求する（ステップ１８０）。
サーバ１では、情報提供部１３の道路使用状況提供部１３Ｂを用いて、その要求を受け付け、申請書ＤＢ１５Ｃ、道路使用ＤＢ１５Ｄおよび使用状況ＤＢ１５Ｅから、指定された道路または場所などの位置情報に対応する道路使用状況を取得し（ステップ１８１）、要求元の情報要求端末５へ送信する（ステップ１８２）。
これにより、一般利用者は所望の道路や場所の最新の道路使用情報を得ることができ、移動ルートの検討などに利用できる。
【００３３】
また、作業が終了した場合、現場報告者は現場報告端末４を操作してサーバ１へその旨の現場進捗報告を行う（ステップ１９０）。
サーバ１では、現場報告受付部１２の報告者認証部１２Ａおよび現場報告処理部１２Ｂを用いて、この現場進捗報告を受け付けて、使用状況ＤＢ１５Ｅへ登録する（ステップ１９１）。そして、情報提供部１３の道路使用状況配信部１３Ａから、通信網９Ｂを介して交通管制センター６へ、少なくとも位置情報とその道路使用状況すなわち作業終了の旨を、道路状況情報として送信する（ステップ１９２）。これにより、交通管制センター６から各所へ、その道路状況情報で通知された作業場所とともに作業終了の旨の情報が配信される（ステップ１９３）。
【００３４】
このように、サーバ１の現場報告受付部１２において、道路使用状況を示す現場進捗報告を現場報告者の現場報告端末４から受け付けるとともに、すでに受け付け済みの道路使用申請情報と関連付けてその現場進捗報告をデータベース１５へ登録するようにしたので、申請内容からは得られない実際の道路使用状況を的確に把握できる。
したがって、例えば道路使用計画が天候や周囲の状況に合わせて進行することを見込んで、道路の使用期間や使用範囲にある程度の幅を持たせて申請されている場合でも、実際の道路使用による渋滞がいつから発生するのか、また所定の場所で発生している渋滞の原因が何なのかなど、道路使用に関する情報を的確に把握できる。
【００３５】
また、従来、道路交通管理者である所轄の警察署だけが利用していた道路使用に関する情報を、交通センター６や一般利用者へ配信するようにしたので、交通情報として有効利用できる。
特に、現場進捗報告で報告された道路使用状況を含む道路状況情報を、サーバ１の情報提供部１３において、交通管制センター６などへ定期的あるいは必要に応じて配信するようにしたので、報告された最新の道路使用状況を迅速に広く提供できる。また、一般利用者からの要求に応じて、現場進捗報告で報告された道路使用状況を含む道路状況情報を、サーバ１の情報提供部１３から提供するようにしたので、情報を必要とする人へ、特定の道路や場所における最新の道路使用状況を迅速かつ確実に提供できる。
【００３６】
次に、図１０を参照して、現場報告受付部１２での現場報告受付処理について説明する。図１０は現場報告受付処理の各画面表示例を示すフローチャートである。
現場報告端末４からの現場報告は、現場報告受付部１２が提供するｗｅｂページで受け付けられる。
報告者認証部１２Ａでは、現場報告端末４からのアクセスに応じて、まずユーザーＩＤおよびパスワードの入力を求める（ステップ２００）。このとき、入力されたユーザーＩＤおよびパスワードにより認証が得られない場合には、エラー通知を行い（ステップ２０１）、ステップ２００へ戻る。
【００３７】
また、認証が得られた場合、現場報告処理部１２Ｂでは、申請書ＤＢ１５Ｃを検索してそのユーザーＩＤに関連する申請書番号のリストを表示し、現場状況報告に対応する申請書の選択を求める（ステップ２０２）。ここで、いずれかの申請書が選択された場合には、その申請書の内容を画面表示して通知し（ステップ２０３）、その内容確認に応じて処理メニューを表示する（ステップ２０４）。処理メニューにおいて、現場報告者により進捗報告が選択された場合には、道路使用状況選択入力画面で「作業開始前」，「作業中（道路未使用）」，「作業中（道路使用中）」，「作業終了」の各選択項目を表示する（ステップ２０５）。そして、項目選択に応じて選択された項目を確認のため再度表示し、その道路使用状態番号を当該申請書の許可証番号に対応する使用状況情報へ登録する（ステップ２０６）。
【００３８】
このように、現場進捗状況に対応する道路使用状況の各項目を表示して、現場報告者へその項目の選択を求めるようにしたので、文章などで現場進捗状況を入力する場合と比較して、現場報告者に対する現場進捗報告の作業負担を大幅に削減できるとともに、携帯端末など文字入力が面倒で画面表示部分が狭い端末であっても確実かつ迅速に現場報告できる。
また、認証された現場報告者に対応する申請書番号をリスト表示して、現場報告と関連する申請書の選択を求めるようにしたので、サーバ１で管理する多数の申請書の中から極めて簡単な操作で対応する申請書を迅速かつ確実に選択することができ、現場報告者に対する現場進捗報告の作業負担を削減できる。
【００３９】
次に、図１１を参照して、情報提供部１３での情報提供処理について説明する。図１１は情報提供処理の各画面表示例を示すフローチャートである。
情報要求端末５からの情報要求は、道路提供部１３が提供するｗｅｂページで受け付けられる。
道路使用状況提供部１３Ｂでは、情報要求端末５からのアクセスに応じて、まずユーザーＩＤおよびパスワードの入力を求める（ステップ２２０）。このとき、入力されたユーザーＩＤおよびパスワードにより認証が得られない場合には、エラー通知を行い（ステップ２２１）、ステップ２２０へ戻る。なお、個々で破綻に情報提供するだけなので認証を省いてもよい。
【００４０】
また、認証が得られた場合には、処理メニューを表示する（ステップ２２２）。処理メニューにおいて、情報を要求する「案内情報」が選択された場合には、道路または場所を特定する位置情報、例えば住所を受け付ける画面を表示する（ステップ２２３〜２２５）。そして、位置情報の入力完了に応じてその道路または場所に対応する申請情報を申請書ＤＢ１５Ｃから検索するとともに、その申請情報と申請書番号や許可証番号で連結された道路使用ＤＢ１５Ｄの道路使用情報や、最新の道路使用状況を含む使用状況ＤＢ１５Ｅの使用状況情報を検索し、その内容を画面表示する（ステップ２２６）。
【００４１】
このように、一般利用者からの情報要求に応じて、道路または場所を特定する位置情報の入力を求め、その位置情報に応じた申請書の最新の道路使用状況を提供するようにしたので、情報を必要とする人へ、特定の道路や場所における最新の道路使用状況を迅速かつ確実に提供できる。
なお、以上の説明では、サーバ１へ直接アクセスしてきた情報要求端末５へ、要求された情報を提供する場合について説明したが、担当者が一般利用者からの通話による問い合わせを受け付け、管理端末２の操作に応じて上記ステップ２２０〜２２６を実行することにより、要求された最新の道路使用状況を担当者から一般利用者へ口頭で提供するようにしてもよく、前述と同様の効果が得られる。この場合、ユーザーＩＤおよびパスワードは担当者のものを用いることになる。
【００４２】
【発明の効果】
以上説明したように、本発明は、道路交通管理者に申請された道路使用の申請ごとにその使用位置を示す位置情報を含む申請情報を道路使用情報管理サーバで管理するとともに、現場報告者の現場報告端末から送信された当該道路使用の道路使用状況を示す道路使用状態情報を、当該道路使用の申請情報と関連付けて道路使用情報管理サーバで管理するようにしたので、申請内容からは得られない実際の道路使用状況を的確に把握できる。
したがって、例えば道路使用計画が天候や周囲の状況に合わせて進行することを見込んで、道路の使用期間や使用範囲にある程度の幅を持たせて申請されている場合でも、実際の道路使用による渋滞がいつから発生するのか、また所定の場所で発生している渋滞の原因が何なのかなど、道路使用に関する情報を的確に把握できる。
【図面の簡単な説明】
【図１】本発明の一実施の形態にかかる道路使用情報管理システムの構成を示すブロック図である。
【図２】道路使用情報管理サーバの構成を示すブロック図である。
【図３】登録者データベースの構成例である。
【図４】警察署データベースの構成例である。
【図５】申請書データベースの構成例である。
【図６】道路使用データベースの構成例である。
【図７】使用状況データベースの構成例である。
【図８】道路使用申請時における道路使用情報管理サーバの動作を示すシーケンス図である。
【図９】道路使用時における道路使用情報管理サーバの動作を示すシーケンス図である。
【図１０】現場報告受付処理の各画面表示例を示すフローチャートである。
【図１１】情報提供処理の各画面表示例を示すフローチャートである。
【符号の説明】
１…道路使用情報管理サーバ、１１…申請受付部、１１Ａ…申請者登録部、１１Ｂ…申請者認証部、１１Ｃ…申請処理部、１２…現場報告受付部、１２Ａ…報告者認証部、１２Ｂ…現場報告処理部、１３…情報提供部、１３Ａ…道路使用状況配信部、１３Ｂ…道路使用状況提供部、１４…端末処理部、１４Ａ…担当者認証部、１４Ｂ…ローカル申請処理部、１４Ｃ…申請書審査部、１４Ｄ…一般利用者対応処理部、１４Ｅ…情報設定部、１５…データベース、１５Ａ…登録者ＤＢ、１５Ｂ…警察署ＤＢ、１５Ｃ…申請書ＤＢ、１５Ｄ…道路使用ＤＢ、１５Ｅ…使用状況ＤＢ、１５Ｆ…地図ＤＢ、２…管理端末、３…申請端末、４…現場報告端末、５…情報要求端末。
【図１】
2004054386.tif 000003
【図２】
2004054386.tif 000004
【図３】
2004054386.tif 000005
【図４】
2004054386.tif 000006
【図５】
2004054386.tif 000007
【図６】
2004054386.tif 000008
【図７】
2004054386.tif 000009
【図８】
2004054386.tif 000010
【図９】
2004054386.tif 000011
【図１０】
2004054386.tif 000012
【図１１】
2004054386.tif 000013